(57)【要約】    【課題】    比較的長く、特に中間にて屈曲した縁材で、現場への運搬が簡単で、又現場にて切断、切削することにより、容易に現場の部屋の床部分に正確に取り付け固定が可能な構成にする。    【解決手段】    主として屈曲した箇所にて分割した少なくとも二つの部材にて構成し、各部材を現場にて切断、切削等の加工した上で接合して取り付けるようにした。【選択図】            図１
0003122251.tif 000002
【実用新案登録請求の範囲】
【請求項１】
壁と天井あるいは床との接続部分又はカウンターの天板の周辺部に接合、固定する縁材で、少なくとも２方向に伸びその交わる箇所が一定の角度をなすもので、少なくとも二つの部材に分割した構成とし、接合、固定時に各部材の端面が接触して一つの縁材になるようにしたことを特徴とする縁材。    
【請求項２】
部材が前記の角度にて屈折する箇所にて２分された二つの部材よりなり、夫々の部材の互いに接触する面が長さ方向に対し、所定角度の傾斜した面である請求項１の縁材。
【請求項３】
少なくとも前記の角度で屈折するコーナー部材を含む三つの部材に分割したもので、前記コーナー部材を除く二つの部材がコーナー部材より互いに異なる２方向へ伸びる長い部材であって、コーナー部材の両端面に他の部材の一端面が接合するように三つの部材を壁と天井あるいは床との接続部分又はカウンターの天板の端面に取り付けるようにしたことを特徴とする請求項１の縁材。
【請求項４】
前記部材の少なくとも一つの部材が取り付け面と反対側である表面に横に連続して伸びる凹凸形状が設けられている請求項１、２又は３の縁材。
【請求項５】
前記部材の少なくとも二つの部材に横に連続して伸びる凹凸形状を有する請求項１、２又は３の縁材。
【請求項６】
前記凹凸形状が端面にて互いに接触する部材に設けられ、前記凹凸形状が隣接する部材間で連続した形状である請求項５の縁材。
【考案の詳細な説明】
【技術分野】
【０００１】
本考案は、建築材料のうちの縁材に関するものである。
【背景技術】
【０００２】
建築材料のうちの縁材は、例えば部屋の隅つまり壁と床との接合部分、壁と天井板との接合部分や事務所等のカウンターの縁の部分、流し等に用いられる装飾を兼ねた建築材料である。
【０００３】
このような縁材は、標準的な家屋の標準的な部屋の場合は、その取り付け部分の形状、寸法がほぼ一定であるため、工場にて生産した縁材を取り付け現場に運搬して接着剤等により固定すれば良い。
【０００４】
しかし、部屋内部の構造、形状は異なることが多く、そのため従来は縁材を取り付ける現場に行って、その形状、寸法を測った後に、それに合わせた形状の縁材を工場にて形成した上で、現場に運搬し、取り付ける方法が用いられていた。
【０００５】
そのため、比較的かさばる建築材料を運搬する不便さがあった。更に予め工場にて大量に生産しておくことが困難であり、コスト上も大きな課題となっていた。
【考案の開示】
【考案が解決しようとする課題】
【０００６】
本考案は、上記のような従来の縁材の欠点を解消するためになされたもので、縁材の主としてコーナー部分の工場等での加工が容易であり、又工場より現場への運搬が便利な構造にした縁材を提供するものである。
【課題を解決するための手段】
【０００７】
本考案の縁材は、縁材全体のうち比較的長く直線状に伸びる部分と部屋等のコーナー部分に位置する屈曲した部分との少なくとも二つ又は三つの部分に分割した構成にしたことを特徴とする。
【０００８】
そして、本考案の縁材のうちの長く直線状に伸びる部材の壁、床等の接合固定される裏面の形状を断面が直角に屈折するＬ字状をなす共通の形状とすると共に、分割した部材のうちコーナー部分の裏面形状のみを標準の数種類又は取り付け箇所に合わせた特殊形状とすることを特徴とする。
【０００９】
前記のように、家屋や事務所等の部屋のうち、縁材が取り付けられる例えば壁と床との接合部分はそのほとんどがＬ字状に直角に屈折した形状であるが、部屋のコーナー部分や柱等が突出するコーナー部分は、縁材を取り付け固定する面の形状が若干複雑な形状をなす。しかも、その形状は、部屋の構造その他により、一般的には一定せず、様々な形状をなすことが多い。
【００１０】
したがって、本考案の縁材を用いることにより、分割された部材のうち、比較的長さの長い断面Ｌ字状をなす部材は、共通の部分材料をそのまま用い、コーナーを形成する部材のみ、その取り付け場所の形状、構造に合わせて加工したものを用いることによって、部屋全体の縁材の取り付け固定が可能となる。
【００１１】
ここで、長さの長い部材は、共通部材であるため、少なくとも長さ以外は共通の形状とすることが可能であり、予め工場にて大量に生産して保管したものを用いることが可能であるため大幅なコスト減となる。
【００１２】
又、コーナー部分は、部屋の取り付け部分の形状に合わせて取り付け面（接合面）の形状を工場にて加工したものを現場にて用いる。
【００１３】
このコーナー部分は、分割された比較的小さな形状であるため寸法を含めての必要とする形状に作成するための加工が極めて簡単である。
【００１４】
又、コーナー部分は、壁等に接合する裏面のみでなく、装飾的要素を有する特種な形状の表面部分の形状も、例えば角度が９０度屈曲した形状であるため一般に複雑な形状となり、比較的長さの長い部分と一体の構成である場合、加工がむずかしい。特に、縁材の材料が人工大理石等の場合、加工が極めて困難なこともある。
【００１５】
本考案の縁材は、少なくともこのコーナー部分が分割され比較的小型であるために、表面の複雑な形状の加工も容易になる。
【００１６】
又、コーナー部分も比較的多く用いられるコーナー形状の場合、予め製造したものを用いることも可能である。
【００１７】
いずれにせよ、本考案の縁材は、少なくともコーナー部分を含めて複数の分割した部材とすることにより、少なくとも一部の部材については、工場にて大量に生産したものの使用が可能であり、コスト低減の点で大きなメリットがある。    更に、前記のように、コーナー部分の部材も、分割によって小型となることから、加工が容易になり、この点でもコスト上有利なことになる。
【００１８】
又、事務所のカウンターや流し等のいわば広い意味での家具類にて縁材を用いる場合、同様に縁材のうち、前面の端部のように比較的長い部分へ取り付ける部材と、コーナー部分へ取り付ける部材とに分割することにより、異なる形状を有するコーナー部分は、取り付け場所に合わせた形状に加工し、その他は共通の部材を用いることによって、加工や現場への運搬が容易になる。
【考案の効果】
【００１９】
本考案の縁材は、分割した複数の部材にて構成することにより、複雑な形状のものも簡単に加工し得ると共に現場への運搬も便利になるという効果を有する。
【考案を実施するための最良の形態】
【００２０】
【実施例１】
【００２１】
本考案の縁材の実施例１は、図１、図２、図３に示す通りで、図１は平面図（Ａ）、正面図（Ｂ）であり、また図２はその斜視図、図３は各部材（正面部材と側面部材の二つの部材）に分割された状態の斜視図である。
【００２２】
この実施例１は、本考案のうちの最も簡単な構成で、二つの部材のみからなる実施例である。
【００２３】
つまり、図に示すように、正面側の部材（正面部材）１と側面側の部材（側面部材）２との二つの部材よりなり、いずれも比較的長い部材で、その表面１ａ、２ａに例えば断面形状を図１（Ｂ）に示すような形状のデザインにしたもので、両部材とも基本的には同じ断面形状である。しかし、部材１と部材２の接合面部分が裏面に対し４５°の夫々逆向きの斜面をなす。これを図１の符号３に示すように互いに接合して一方の表面側（デザインを施した側）が９０°の凸状をなし、他の裏面側（平面をなす側）が９０°の凹状をなすように部材１、２を接合、組み合わせた形状である。そして裏面側および下端面を夫々、壁および床に接合固定して用いる。
【００２４】
この実施例１は、極めて簡単な形状であって、互いに逆方向に傾斜した面（図３の面１ｃ、２ｃ）を有する二つの部材１、２を現場に搬送し、取り付ける部分の長さに合わせて傾斜面１ｃ、２ｃの反対側を切断又は切削して所定の長さにした上で、取り付け場所に接合、固定する。
【００２５】
したがって、予め直角に屈曲した全体として大きなものを現場に運搬することなく、現場にて簡単に取り付け得る。
【実施例２】
【００２６】
本考案の縁材の実施例２は、図４に示す通りの構成で、（Ａ）は要部の平面図、（Ｂ）はその正面図である。
【００２７】
この図４において、１１は縁材のコーナー部分（コーナー部材）、１２、１３は夫々正面部分（正面部材）、側面部分（側面部材）で、これら三つの部材１１、１２、１３を面１４、１５にて接合したものである。
【００２８】
これら各部材１１、１２、１３は、図５に示すように、いずれも表面が図４の１１ａのような形状をしている。また、部材１２、１３は図４にはその一部分を示してあるが全体として長い板状であって、その表側の面１２ａ、１３ａはその断面形状が図示するような実施例１と同じデザインの面をなし、又壁等に接合する裏面は平面でしかも正面部材１２、側面部材１３の両部材共に同一の断面形状の長い板状の部材になっている。
【００２９】
そして、これら各部材１１、１２、１３を取り付け部分例えば壁のコーナー部分と床との接合部分に取り付け接着剤等を用いて接合、固定するものである。
尚、この実施例２は、部屋等におけるコーナー部分が直角に突出して部分に用いるため、裏面に９０°をなすコーナー部材１１が用いられている。
【００３０】
この実施例２において、実際に現場にて取り付ける場合、図面の正面部材１２および側面部材１３の長さを現場の部屋の取り付け部分の長さに等しくなるように現場にて切断又は切削した上で、三つの部材を夫々対応した箇所に接着、固定する。
【００３１】
したがって、予め現場の寸法正確に測定して予め工場にて作成したものを運搬する必要はなく、おおよその長さの正面部材、側面部材を用意して、現場にて正確な長さに削るか切断した上で取り付ければよい。又は標準の（一般的な）長さの部材１２、１３を現場に搬送して、現場にて前記手段にて加工した上で取り付ければよい。
【００３２】
又、コーナー部材１１は、平面のデザインの異なるものを各種多数個予め用意することにより、デザインの選択のみで、そのまま現場にての使用が可能である。
【００３３】
又、仮に、現場の取り付けるべきコーナー部分の形状が若干特殊な形状であっても、コーナー部材１１のみは比較的小型であるため加工が容易である。そのため、現場にての加工が容易であり、現場の部屋等のコーナー形状に合わせ加工し得るため正確な形状になし得る。
【００３４】
この実施例２は、実施例１と異なり、三つの部材よりなり、したがって、縁材を取り付けるべき部屋等の外に突出した角をなす箇所が多少特殊な形状をしていても、比較的小型なコーナー部材１１の裏面側の凹形状の部分の加工によりいかなる場所でも比較的簡単に対応できるという効果を有する。
【実施例３】
【００３５】
本考案の実施例３の縁材は、実施例２と同様に三つの部材に分割した構成の実施例である。
【００３６】
つまり図７に示すように、１５、１６、１７の三つの部材よりなり、そのうち、部材１５はコーナー部材、部材１６、１７は夫々正面部、側面部の部材（正面部材、側面部材）である。この正面部材１６と側面部材１７とは、分割面１６ａと１７ｂが長さ方向に対し一定角度（表面に対し４５°、裏面に対し１３５°）の斜面であり、これらと接合されるコーナー部材１５は互いに平行な斜面よりなる。尚、図７において、（Ａ）は平面図、（Ｂ）は正面図である。
【００３７】
この実施例３も、正面部材１６、側面部材１７は、現場にて傾斜面とは反対側の端面を切断、切削することにより、配置する箇所の寸法に合わせて取り付けることが可能である。
【００３８】
又、コーナー部材は、比較的小型であるため加工等が簡単である。そのため、取り付け箇所のコーナーの形状が異なる場合でも、これも現場で比較的簡単に加工し得る。
【実施例４】
【００３９】
本考案の縁材の実施例４は、図８に示す通りである。
【００４０】
この実施例４は、図８に示すように、コーナー部材２１、正面部材２２、側面部材２３の三つの部材よりなり、コーナー部材２１は水平断面が３角形、正面部材２２、側面部材２３がいずれも表面２２ａ、２３ａ、裏面が２２ｂ、２３ｂ、平面の単純な板状で、その一方の端面２２ｃ、２３ｃが一定角度の傾斜面をなす。つまり、実施例１、２、３のように表面側に模様を形成したものとは異なり、単純な板状である。
【００４１】
この実施例４も、正面部材２２、側面部材２３の傾斜した端面２２ｃ、２３ｃとは反対側の端面を、取り付け現場にて切断、切削して、取り付け部分の寸法に正確に合わせた上で取り付け接着、固定すればよい。
【００４２】
又、コーナー部材２１の形状は、図示するものに限らず、希望する形状を選択し得る。その場合、コーナー部材２１の形状に合わせて、正面部材２２、側面部材２３の傾斜面２２ｃ、２３ｃの傾斜角を決めればよい。
【実施例５】
【００４３】
本考案の縁材の実施例５は図９に示す通りの形状である。この図９において、（Ａ）は平面図、（Ｂ）は正面図である。
【００４４】
前述の実施例１乃至実施例４は、いずれも部屋等のコーナー部分が外方に突出した角の部分に用いる縁材に関するものであるが、この実施例５は、取り付ける部屋等のコーナー部分が凹形状の箇所に用いる縁材の例である。
【００４５】
つまり、コーナー部材３１は、図９に示すように外側が直角をなし、内側がアール状で（Ｂ）の正面図のように内側面に模様（デザイン）が形成されている。又は正面部材３２および側面部材３３は、その内側の面３２ａ、３２ｂにデザインが施されている。
【００４６】
したがって、実施例５は、取り付ける部分が凹部である点が異なるのみで、他は実施例２等と実質上同じである。
【００４７】
したがって、同じ形状の正面部材２６、側面部材２７を現場にて所定の長さに切断又は切削することにより、簡単に取り付け得る。
【実施例６】
【００４８】
本考案の縁材の実施例６は、図１０に示す形状で、流し部分に使用する例である。
【００４９】
この実施例において、３６は正面部材で、流しの縁に取り付ける部材であり、又３７は前面部材で流しが設置されている壁等に取り付けられ、これら部材３６、３７をコーナー部材３５にて接続する構成である。
【００５０】
このように、三つの部材にて構成されたものを、部材３７の面３７ｂを壁に接合し、部材３６を流しの縁に接合し、更にコーナー部材３１にて両者を接続して全体が接続された構成とする。
【００５１】
したがって、部材３７の表面３７ａは、流し表面により直接見える面であり、断面形状が図示するようなデザインに形成されている。
【００５２】
この実施例は、流しに用いるために設計されたものであるが、基本的な形状等を変えることなしに、寸法その他の変更により、例えば図９に示す実施例５のような、コーナーが凸部をなす部屋等における天井や床の縁材としても用い得る。
【００５３】
その場合、コーナー部材３５と正面部材３６と側面部材３７の三つの部材にて構成し、他の実施例と同様に必要とする長さの正面部材３６と側面部材３７を工場にて作製したものを現場に運搬し、正確な長さに切断、切削した上で所定箇所に接着固定すればよい。
【００５４】
又、コーナー部材３５は、これも他の実施例と同様に小型であり、現場の部屋のコーナー等の形状、寸法に合わせて加工した上で接着、固定すればよい。
【実施例７】
【００５５】
本考案の縁材の実施例７は図１１に示す構成で、実施例６と同様、流し等に用いる。
【００５６】
この実施例７は、図１１に示すように、実施例６と類似する構成で、三つの部材に分割したものである。この実施例７は、図示するように実施例６より単純な形状にした。
【００５７】
この実施例７も、実施例６と同様に、その寸法等の変形により、コーナーが凸形状の部屋等の縁材としても用い得る。
【実施例８】
【００５８】
本考案の縁材の実施例８は図１２に示す通りの構成である。
【００５９】
この実施例８は、コーナーの存在しない箇所に取り付けて使用するもので、表面、裏面等に平面の板上の部材で、その両端部にアール上の面を設け、その表面とアール面に模様（デザイン）を形成した。
【００６０】
この実施例８は、中央の板状でその右端がアール面とよりなる正面部材４１とその左端のアール状部材４２の二つの部材に分割したものである。そして、中央の正面部材４１の長さを現場にて所定の長さに切断又は切削し（左側の端面を切断又は切削し）、その左端面にアール状部材４２を接合することにより、現場にて簡単に組み立て接着、固定し得る。
【００６１】
この実施例８において、正面部材４１の右端（図面に符号４３にて示す部分）も別のアール部材とし、左端のアール部材４２、正面部材４１、右端のアール部材４３の三つの部材に分割した構成とし、これら三つの部材を現場にて接合することにより、図１２に示す縁材とすることもできる。
【００６２】
又、この実施例８の右側のアール部材が一体になった正面部材は、図４に示す実施例２の正面部材１２とコーナー部材１１とを一体化したものと実質上同一の形状となる。したがって、実施例２の縁材は、正面部材１２およびコーナー部材１１の代わりに、図１２の正面部材４１を用い、この正面部材４１のコーナー部分に、図４の側面部材の端面１５を接合することによっても形成し得る。つまり、この実施例２は、三つの部材にて構成されているが、図１２に示す実施例８の正面部材を利用することにより、この正面部材４１と側面部材１３の二つの部材にて構成し得る。
【００６３】
勿論、実施例２において、側面部材１３とコーナー部材１１を一体化し、これに正面部材１２を接合する構成とすることにより、二つの部材にて構成することが可能である。
【００６４】
同様に、図９に示す実施例５において、コーナー部材３１と正面部材３２とを一体化し、この一体化した部材と側面部材３３の二つの部材にて構成してもよい。
【００６５】
この場合、コーナー部材３１と側面部材３３とを一体化し、これと正面部材３２との二つの部材にて構成してもよい。
【実施例９】
【００６６】
本考案の縁材の実施例９は、図１３に示す通りの構成で、（Ａ）は平面図、（Ｂ）は断面図である。実施例９は、カウンターに用いる縁材に関するものである。
【００６７】
図１３において、（Ａ）は平面図、（Ｂ）は断面図であり、（Ｂ）の符号５４がカウンターのテーブルで、その先端にこの実施例９を接合して用いる。
【００６８】
つまり、本考案の実施例９は、半球状のコーナー部材５１と、同一断面形状である図１３（Ｂ）に示す形状の正面部材５２、側面部材５３との三つの部材よりなる。そして、カウンター５４の角の部分にコーナー部材５１を、又、その前側端面および横側端面に夫々正面部材５２、側面部材５３を接合固定する。そして、現場での取り付けにあたって、正面部材５２、側面部材５３を、カウンターのテーブルの長さ幅に合わせて切断又は切削した上で接着、固定する。
【実施例１０】
【００６９】
本考案の縁材の実施例１０は、図１４に示す通りで、（Ａ）は平面図、（Ｂ）は断面図である。
【００７０】
この実施例１０は、実施例９とほぼ類似の構成であるが、断面形状が図示するように、角形をなす点で、実施例９と異なる。
【００７１】
したがって、現場での取り付け等は、基本的に実施例９と同じである。
【実施例１１】
【００７２】
本考案の縁材の実施例１１は、図１５、１６に示す通りである。
【００７３】
この実施例１１は、例えば実施例２（図４、５、６）の縁材と実施例５（図９）の縁材とを組み合わせたもので、二つのコーナー部材１１、３１と三つの長い部材１２、１３（３２）、３３とにて分割したものである。そして、これら五つの部材を現場にて取り付けるようにしたものである。つまり、壁同志の接続部分が凸形状と凹形状をなす壁等にて用いる例である。
【００７４】
そして、三つの長い部材は、その端面を切断または切削することによって、現場にて部屋の寸法に合わせて加工した上で取り付ければよい。
【００７５】
前記のように、実施例１１は、実施例２と実施例５とを組み合わせた構成であり、図１５、図１６の右側より実施例１の側面部材１３とコーナー部材１１と正面部材１２（または実施例５の正面部材３２）と実施例５のコーナー部材３１と側面部材３３を接合したものである。
【００７６】
この実施例１１のように、前記各実施例の構成の縁材の適宜な組み合わせによって、いかなる形状の部屋に対しても、本考案の縁材を適用し得る。
【００７７】
尚、各実施例の縁材は、材料として人工大理石を用いたものであるが、木材その他、切断や切削の容易なものであれば、どのような材料でもよい。
【産業上の利用可能性】
【００７８】
本考案は、部屋の天井と壁の境界部分や壁と床の境界部分、流し、カウンターのテーブル部分に用いる縁材であって、少なくとも二つの部材に分割した構成にしたことによって、運搬や作業性をよくし、又コストを低減し得る等の効果を有するものである。
【図面の簡単な説明】
【００７９】
【図１】本考案の実施例１の平面図、正面図
【図２】本考案の実施例１の接合された状態の斜視図
【図３】本考案の実施例１の各部材に分割された状態での斜視図
【図４】本考案の実施例２の平面図、正面図
【図５】本考案の実施例２の接合された状態の斜視図
【図６】本考案の実施例２の各部材に分割された状態での斜視図
【図７】本考案の実施例３の平面図、正面図
【図８】本考案の実施例４の平面図
【図９】本考案の実施例５の平面図、正面図
【図１０】本考案の実施例６の平面図
【図１１】本考案の実施例７の平面図
【図１２】本考案の実施例８の平面図、正面図
【図１３】本考案の実施例９の平面図、正面図
【図１４】本考案の実施例１０の平面図、正面図
【図１５】本考案の実施例１１の接合された状態の斜視図
【図１６】本考案の実施例１１の各部材に分割された状態での斜視図
【符号の説明】
【００８０】
１      正面部材
２      側面部材
１１    コーナー部材
１２    正面部材
１３    側面部材
１５    コーナー部材
１６    正面部材
１７    側面部材
２１    コーナー部材
２２    正面部材
２３    側面部材
３１    コーナー部材
３２    正面部材
３３    側面部材
３５    コーナー部材
３６    正面部材
３７    側面部材
３８    コーナー部材
３９    正面部材
４０    側面部材
４１    正面部材
４２    アール部材
４３    アール部材
５１    コーナー部材
５２    正面部材
５３    側面部材
５４    カウンターのテーブル
【図１】
0003122251.tif 000003
【図２】
0003122251.tif 000004
【図３】
0003122251.tif 000005
【図４】
0003122251.tif 000006
【図５】
0003122251.tif 000007
【図６】
0003122251.tif 000008
【図７】
0003122251.tif 000009
【図８】
0003122251.tif 000010
【図９】
0003122251.tif 000011
【図１０】
0003122251.tif 000012
【図１１】
0003122251.tif 000013
【図１２】
0003122251.tif 000014
【図１３】
0003122251.tif 000015
【図１４】
0003122251.tif 000016
【図１５】
0003122251.tif 000017
【図１６】
0003122251.tif 000018